(57)【特許請求の範囲】
【請求項１】
ベースに設けられた対象物を挟持する一対の固定グリップと移動グリップと、
前記ベースあるいは前記移動グリップに設けられた固定側モアレスリット板と、
前記固定グリップ又は前記移動グリップのいずれか一方に接続される弾性部材と、
前記弾性部材に取り付けられた移動側モアレスリット板とを備え、
前記固定側モアレスリット板と前記移動側モアレスリット板を重ねて前記固定グリップあるいは前記移動グリップ付近に配置し、
前記一対のグリップで対象物を挟み、前記弾性部材を変形させて前記移動側モアレスリット板をスライドさせ、前記固定グリップあるいは前記移動グリップのいずれかの付近の前記固定側モアレスリット板及び前記移動側モアレスリット板のモアレ縞で前記対象物にかかる力を表示することを特徴とするロボットハンド。
【請求項２】
フィンガーがリンクとヒンジからなる関節型のロボットハンドにおいて、
前記リンクの少なくとも一箇所に、前記リンクの中間に弾性部材を介在させ、前記弾性部材の両端に一対のリンク両端をそれぞれ接続して設け、
前記リンク両端のいずれか一方に移動側モアレスリット板を、他方に固定側スリット板を設け、
前記固定側モアレスリット板と前記移動側モアレスリット板を重ねて配置し、
前記フィンガーで対象物を挟み、前記弾性部材を変形させて前記移動側モアレスリット板をスライドさせ、前記リンクの中間に設けた前記固定側モアレスリット板及び前記移動側モアレスリット板のモアレ縞で前記対象物にかかる力を表示することを特徴とするロボットハンド。
【請求項３】
グリップ部と接続するベースと、
前記ベースと弾性部材を介して接続するアーム取付部と、
前記アーム取付部に接続する固定側モアレスリット板と、
前記ベースに接続する移動側モアレスリット板とを備え、
前記固定側モアレスリット板と前記移動側モアレスリット板を重ねて配置し、
前記グリップ部で対象物を挟み、前記対象物の一端が前記グリップ部に対向する作業台に引っかかった場合には前記ベースが傾き前記弾性部材を変形させて前記移動側モアレスリット板をスライドさせ、前記対象物付近の前記固定側モアレスリット板及び前記移動側モアレスリット板のモアレ縞で前記ベースの傾きを表示することを特徴とするロボットハンド。
【請求項４】
前記固定側モアレスリット板又は移動側モアレスリット板のいずれか一方を垂直に引いた複数の直線から構成し、他の一方は左右で傾きを変えた複数の直線から構成し、前記ベースの傾きにより、左右のモアレ縞の一方の間隔を広げ、他方の間隔を縮めることを特徴とする請求項３に記載のロボットハンド。
【発明の詳細な説明】
【技術分野】
【０００１】
本発明は、ロボットハンド等の遠隔操作時にモアレ縞を利用して、作業対象部位に加わっている力を直感的に操作者或いは周辺の者が視認できるロボットハンドに関する。
【背景技術】
【０００２】
産業用ロボットでは人間がコントローラを用いて遠隔操作を行うものがあるが、操作している器具や装置が作業対象にどの程度の力を加えているか、直感的に知ることは困難である。そのため、人間がロボットを操作する場合、熟練した技術を要求され、熟練者が操作すれば優れた性能を発揮できても、初心者には操作することが困難なものが少なくない。このため、力センサ等を装備し、力覚情報を操作者に伝えるシステムの開発が進められている。
【０００３】
非特許文献１或いは非特許文献２には、作業対象箇所に歪ゲージ等のセンサを用い、力が加わることにより生じる歪みを電気的な信号に変換し、増幅回路などを用いて信号処理したものをモニターに表示している。
【０００４】
また、非特許文献３のように、コントローラに力覚を再現し操作者に提示するものがある。
【非特許文献１】「二重十字構造に基づく小型6分力力覚センサの開発」永井清、伊藤義典、矢崎誠、樋口克己、阿部暁  日本ロボット学会誌：Ｖｏｌ．２２，Ｎｏ．３（２００４．０４．１５)
【非特許文献２】「シリコン歪ゲージを用いた力計測用マイクロセンサ−力センサの構造設計、試作、評価実験−」糸魚川貢一、神戸正方、小出輝彦、福田敏男、新井史人、杉山進  日本ロボット学会誌：Ｖｏｌ．２４，Ｎｏ．６（２００６．０９．１５)
【非特許文献３】「人間型ロボットのための遠隔操縦システムの開発−人間型ロボットによる産業車両の代行運転への適用−」  蓮沼仁志、中嶋勝己、御船文里、宮原啓造、鷹取正夫、森山尚、家中良太、小林政巳、横井一仁  日本ロボット学会誌：Ｖｏｌ．２２，Ｎｏ．１（２００４．０１．１５)
【発明の開示】
【発明が解決しようとする課題】
【０００５】
非特許文献１或いは非特許文献２のように加わっている力をモニターに表示する方法では、操作者は作業対象を見つつ、力覚情報を得るためにモニターを見る必要がある。このため、作業対象箇所及びモニターを相互に視線を移動させつつ作業をしなければならず、煩わしいばかりか、モニターを視認している際に誤操作をしてしまうという問題がある。
【０００６】
また、非特許文献３では、直接装置を操作している人以外はどの程度の力が作業対象に加わっているかを知ることができないという課題を有する。
【課題を解決するための手段】
【０００７】
本発明は、ベースに設けられた対象物を挟持する一対の固定グリップと移動グリップと、前記ベースあるいは前記移動グリップに設けられた固定側モアレスリット板と、前記固定グリップ又は前記移動グリップのいずれか一方に接続される弾性部材と、前記弾性部材に取り付けられた移動側モアレスリット板とを備え、前記固定側モアレスリット板と前記移動側モアレスリット板を重ねて前記固定グリップあるいは前記移動グリップ付近に配置し、前記一対のグリップで対象物を挟み、前記弾性部材を変形させて前記移動側モアレスリット板をスライドさせ、前記固定グリップあるいは前記移動グリップのいずれかの付近の前記固定側モアレスリット板及び前記移動側モアレスリット板のモアレ縞で前記対象物にかかる力を表示することを特徴とする。
【０００８】
また、本発明は、フィンガーがリンクとヒンジからなる関節型のロボットハンドにおいて、前記リンクの少なくとも一箇所に、前記リンクの中間に弾性部材を介在させ、前記弾性部材の両端に一対のリンク両端をそれぞれ接続して設け、前記リンク両端のいずれか一方に移動側モアレスリット板を、他方に固定側スリット板を設け、前記固定側モアレスリット板と前記移動側モアレスリット板を重ねて配置し、前記フィンガーで対象物を挟み、前記弾性部材を変形させて前記移動側モアレスリット板をスライドさせ、前記リンクの中間に設けた前記固定側モアレスリット板及び前記移動側モアレスリット板のモアレ縞で前記対象物にかかる力を表示することを特徴とする。
【０００９】
更に、本発明は、グリップ部と接続するベースと、前記ベースと弾性部材を介して接続するアーム取付部と、前記アーム取付部に接続する固定側モアレスリット板と、前記ベースに接続する移動側モアレスリット板とを備え、前記固定側モアレスリット板と前記移動側モアレスリット板を重ねて配置し、前記グリップ部で対象物を挟み、前記対象物の一端が前記グリップ部に対向する作業台に引っかかった場合には前記ベースが傾き前記弾性部材を変形させて前記移動側モアレスリット板をスライドさせ、前記対象物付近の前記固定側モアレスリット板及び前記移動側モアレスリット板のモアレ縞で前記ベースの傾きを表示することを特徴とする。
【００１１】
更に、本発明は、前記固定側モアレスリット板又は移動側モアレスリット板のいずれか一方を垂直に引いた複数の直線から構成し、他の一方は左右で傾きを変えた複数の直線から構成し、前記ベースの傾きにより、左右のモアレ縞の一方の間隔を広げ、他方の間隔を縮めることを特徴とする。
【発明の効果】
【００１３】
本発明によれば、ロボットハンドのグリップ付近にモアレスリット板を設置しているので、作業者や周辺の者が作業対象箇所を見ながら挟持対象物にかかる力を視線移動せずに視認することができる利点がある。
【００１４】
また、本発明に依れば、前述の理由から、ロボットハンドの操作に集中することができ、挟持対象物に不要に大きな力をかけて毀損すること、或いは、挟持する力が弱すぎて挟持対象物を落下させてしまう等の誤操作を引き起こしにくいという利点がある。
【００１５】
更に、本発明に依れば、ロボットハンドに移動側モアレスリット板を設け、左右対称の２つのモアレ縞を隣接して表示させておき、ロボットハンドに傾きが生じると、２つのモアレ縞は一方では間隔が狭く、他方が広くなる。このため、傾き具合を直感的に操作者や周辺の者が容易に認識することができる。
【００１６】
更に、本発明に依れば、ベースの傾きが僅かであってもモアレ縞の変化は大きく現れるので、装置自体では気付かない僅かな傾きでも容易に認識することができる。
【００１７】
更に、本発明に依れば、一方のモアレスリット板に複数の文字等をスリット状に施している。このため、移動側モアレスリット板の移動にともない、順に文字等を表示させることができ、どの程度対象物に力が加わっているか直感的に操作者や周辺の者が認識しつつ操作を行える利点を有する。
【発明を実施するための最良の形態】
【００１８】
図１を参照して、第１実施形態のロボットハンドについて説明する。図１は（Ａ）は、ロボットハンド１の概略構成を示す斜視図、（Ｂ）は（Ａ）のａ−ａ’断面図、（Ｃ）はモアレスリット板を示している。
【００１９】
ロボットハンド１は、固定グリップ１４及び移動グリップ１５が対向して設けられており、移動グリップ１５が内臓モータ等（図示せず）により、固定グリップ方向（図面左右方向）へ開閉駆動し、対象物を挟持する仕組みである。
【００２０】
固定グリップ１４は、弾性部材１３を介してベース１６に接続しており、一定の力が加わると弾性部材が変形することによって、移動グリップ１５向きと逆向きに移動する。
【００２１】
弾性部材１３は、四面が金属板からなる筒状体であり、固定グリップ１４が押されると移動グリップ１５の逆方向に変形する。弾性部材１３は、金属板のほか、ゴムやスプリング等であってもよい。また、挟持する対象によって、異なる弾性係数、バネ係数を有する弾性部材１３を用いることができる。
【００２２】
固定側モアレスリット板１１はベース部に一端が固定されており、移動側モアレスリット板は弾性部材１３或いは固定グリップ１４に直接的或いは間接的に連結している。固定側モアレスリット板１１、移動側モアレスリット板１２は透明樹脂からなるプレートやシート等を用いている。
【００２３】
そして、図１（Ｂ）に示すように、固定側モアレスリット板１１と移動側モアレスリット板１２は重ねて配置されている。図１（Ｃ）に示すように、固定側モアレスリット板１１及び移動側モアレスリット板１２には複数の直線が平行に施されている。そして、移動側モアレスリット板の直線は移動グリップ１５の移動方向に対して垂直に施し、固定側モアレスリット板１１の直線は移動側モアレスリット板１２の直線に対してやや傾斜させている。このように直線を施すことで、固定側モアレスリット板１１と移動側モアレスリット板１２を重ねて配置すると、これらの直線と垂直方向にモアレ縞が生じる。移動側モアレスリット板の直線は移動グリップ１５の移動方向に対して垂直に施しているので、図１（Ａ）に示すようにモアレ縞Ｙが生じ、挟持対象物にかかる力で固定グリップ１４が微小に移動しても、モアレ縞Ｙは上下方向に大きく移動し、どの程度力がかかっているか容易に視認できることとなる。移動側モアレスリット板１２の直線の傾斜角は小さいと生じるモアレ縞の幅及び間隔は広くなり、傾斜角が大きいとモアレ縞の幅及び間隔が狭まる。どの程度傾斜角させるかは適宜調節して設ければよい。なお、固定側モアレスリット板１１、移動側モアレスリット板１２の直線はいずれかが傾斜していればよく、本実施例に限定されるものではない。
【００２４】
図２を参照して、第１実施形態のロボットハンド１の動作状況を説明する。図２（Ａ）は、対象物を挟持し、さらに力を強めた状態を示し、（Ｂ）はそれぞれの状態におけるモアレスリット板１１、１２に生じるモアレ縞を示している。
【００２５】
図２（Ａ）左図のように、対象物１７を挟持した状態であり、まだ弾性部材１３が変形するほどの力が加わっていない状態であり、移動側モアレスリット板１２はスライドしておらず、図２（Ｂ）の左図に示すように、モアレ縞Ｙは中心に存在している。
【００２６】
一方、図２（Ａ）右図のように、更に移動グリップ１５を移動させ対象物１７に力を加えた状態では、固定グリップ１４が左方向に移動し、弾性部材１３を変形させるとともに、移動側モアレスリット板１２がスライドする。このスライドにより、図２（Ｂ）右図に示すように、モアレ縞Ｙは下方に移動する。固定側モアレスリット板１４の僅かな移動量であっても、モアレ縞Ｙの変位量は大きくなるので、視認性が非常に高く、操作者や周辺にいる者でも容易に視認することができる。
【００２７】
そして、挟持対象物１７にかかっている力は弾性部材１３の変形量と比例関係にあるので、対象物１７にかかる力（Ｆ）は、Ｆ＝ｋ（弾性係数）×ΔＸ（変形量）である。したがって、固定側モアレスリット板１４等に対応する力の目盛を打っておけば、対象物にかかる力を容易に認識することができる。
【００２８】
弾性部材１３は、対象物に応じたものを適宜使用すればよい。例えば、対象物の強度が高い場合には硬めの弾性部材１３を用いればよく、強度が低い場合には柔らかめの弾性部材１４を使用し、微小な力が加わってもモアレ縞の変位量を大きくして対応すれば良い。
【００２９】
ロボットハンドの操作では、操作者は作業対象箇所であるロボットハンドを見ながら操作するのが一般的であり、モニターに表示される力覚情報を見ながらでは視線移動や意識が散乱してしまい、誤った操作を起こしかねない。本発明では、ロボットハンド１のグリップ付近にモアレスリット板１１、１２を設置しているので、作業対象箇所を見ながら対象物１７にかかる力を大きな視線移動なしに視認することができるので、ロボットハンド１の操作に集中することができ、誤操作を引き起こしにくくなる。
【００３０】
図３は、固定側モアレスリット板１１に複数の数字や文字をスリット状に施し、対象物にかかる力が大きくなるにつれて、順に数字や文字を表示する形態について示している。
【００３１】
図３（Ａ）に示すように、固定側モアレスリット板１１には算用数字１〜５を順にスリット状にして施している。一方の移動側モアレスリット板１２には複数の直線が平行に配置され、固定側モアレスリット板１１の数字に対してやや傾斜させている。なお、本実施形態では、固定側モアレスリット板１１に数字、移動側モアレスリット板１２に直線を施しているが、逆に固定側モアレスリット板１１に直線、移動側モアレスリット板１２に数字を施しても同様の効果を得られる。
【００３２】
このような固定側モアレスリット板１１と移動側モアレスリット板１２を、初期状態では数字が何も表示されない状態に調節して重ねる。そして、挟持対象物に力がかかり、弾性部材１３（図１参照）の変形に追従して移動側スリット板１２がスライドするに連れて、順に数字の１が表示される。移動側モアレスリット１２が更にスライドすると、順に数字の２、３、４、５と表示される。
【００３３】
また、図３（Ｃ）のように、固定側モアレスリット板１１にＳＴＯＰ等の文字を施し、前述同様に、固定側モアレスリット板１１と移動側モアレスリット板１２を、初期状態では文字が何も表示されない状態に調節して重ねておけば、力が加わるにつれて移動側モアレスリット板１２がスライドし、徐々にＳＴＯＰの文字が表示される。これ以上力を加えてはいけない対象物を扱う際には、操作者に直感的にこれ以上力を加えてはならないことが認識でき、非常に有効である。
【００３４】
図４を参照して、第２実施形態のロボットハンド２について説明する。図４（Ａ）はロボットハンド２の概略構成図、（Ｂ）及び（Ｃ）はモアレスリット板を省略した状態であり、グリップで対象物を挟持した際の弾性部材１３の変形状態を示す図である。
【００３５】
ロボットハンド２は、ベース１６に固定グリップ１４、移動グリップ１５が設けられており、移動グリップ１５は、弾性部材１３を介して駆動部１８と接続している。駆動部１８が図面左右方向に移動することにより、固定グリップ１４及び移動グリップ１５で対象物１７を挟持する構成である。
【００３６】
駆動部１８には移動側モアレスリット板１２が取り付けられ、一方、移動グリップ１５に固定側モアレスリット板１１が設けられ、固定側モアレスリット板１１と移動側モアレスリット板１２は重ねて配置され、モアレ縞Ｙが表示されている。
【００３７】
図４（Ｂ）は、対象物を挟持し、さほど力を加えていない状態を示しており、この場合、弾性部材１３に変形はない。ここから更に駆動部１８を固定グリップ側に移動させて力を加えると、図４（Ｃ）のように、弾性部材１３が変形する。弾性部材１３が変形するため、移動側モアレスリット板１２がスライドするので、モアレ縞Ｙが変位する（図示を省略）。
【００３８】
他の点については、第１実施形態のロボットハンド１と同様であるので、説明を省略する。
【００３９】
次に、図５及び図６を参照して、第３実施形態のロボットハンド３について説明する。図５（Ａ）は、ロボットハンド３の概略構成を示し、図５（Ｂ）はフィンガー２４のモアレスリット板を省略した構成を示している。
【００４０】
ロボットハンド３は、ベース１６に設けられた複数のフィンガー２４を有する関節型のロボットハンドである。フィンガー２４は、リンク２２、２３とヒンジ２１ａ、２１ｂから構成され、それぞれのリンク２２、２３はヒンジ２１ａ、２１ｂを介して回転自在に駆動する。
【００４１】
先端側のリンク２３は、図５（Ｂ）に示すように、中間に弾性部材１３を介在させてリンク両端２３ａ、２３ｂが接続している。そして、リンク端２３ａに固定側モアレスリット板１１が、リンク端２３ｂに移動側モアレスリット板１２がそれぞれ取り付けられている。固定側モアレスリット板１１と移動側モアレスリット板１２は重ねて配置され、モアレ縞Ｙが表示される。
【００４２】
図６（Ａ）は、フィンガー２４で対象物１７を挟持し、さほど力を加えていない状態を示しており、この場合、弾性部材１３に変形はない。この状態から、フィンガー２４に挟持する力を更に加えると、弾性部材１３が変形する。この弾性部材１３の変形に追従するように、リンク２３ｂに取り付けられた移動側モアレスリット板１２がスライドするので、モアレ縞Ｙが変位する（図示を省略）。
【００４３】
このように、それぞれのフィンガー２４にモアレスリット板１１、１２を設けることによって、どのフィンガー２４が対象物に接触し、どの程度力が加わっているのかを容易に視認することができる。
【００４４】
また、フィンガー２４は本実施形態では２本であるが、更に多くのフィンガー２４を設けても良い。そして、リンク２２にも、リンク２３と同様の構成、すなわち弾性部材１３を介在させてモアレスリット板１１、１２を設けても良い。一本のフィンガー２４に複数のモアレスリット板１１、１２の対を設けることで、例えば、それぞれ力の大きさを測っている向きが異なる場合では、一方でＸ方向、他方でＹ方向の力の大きさを測るようにし、これらから、力の向きを知ることもできる。
【００４５】
なお、他の点については第１実施形態のロボットハンド１と同様であるので、説明を省略する。
【００４６】
続いて、図７を参照して、第４実施形態に係るロボットハンド４について説明する。図７（Ａ）は、作業台に設けられた孔に対象物を詰めていくロボットハンドの概略構成を示しており、（Ｂ）は、（Ａ）の矢印方向から見たロボットハンド４部分の側面図である。
【００４７】
アーム取付部３１はアーム部３４と回動可能に接続し、弾性部材１３ａ、１３ｂの上端にはアーム取付部３１が接続され、下端にはベース３２が接続している。ベース３２にはグリップ３３ａ、３３ｂが接続されており、グリップ３３ａ、３３ｂで対象物を挟持し、アーム部３４、グリップ３３ａ、３３ｂをコントローラの操作にて遠隔操作を行い、作業台３６に設けられた孔３７に挿入する仕組みである。
【００４８】
そして、固定側モアレスリット板１１ａ、１１ｂがそれぞれアーム取付部３１に取り付けられ、移動側モアレスリット板１２ａ、１２ｂがそれぞれベース３２に取り付けられており、移動側モアレスリット板１２ａ、１２ｂはベース３２の傾きに追従してスライドするようになっている。（なお、ここで、モアレスリット板１１ａ、１２ａ、弾性部材１３ａを可視化デバイス４１ａ、モアレスリット板１１ｂ、１２ｂ、弾性部材１３ｂを可視化デバイス４１ｂとして説明する。）
【００４９】
図７（Ｃ）に示すように、固定側モアレスリット板１１ａ、１１ｂにはそれぞれ複数の直線が平行に施されている。固定側モアレスリット板１１ａでは直線が図面左上から右下に傾斜させており、一方、移動側モアレスリット板１１ｂでは直線が図面右上から左下に向けて傾斜させている。それぞれの固定側モアレスリット板１１ａ、１１ｂの傾斜角は等しく、いずれか一方を反転させると他の一方と同一となるように傾斜角は同一にしている。移動側モアレスリット板１２ａ、１２ｂは複数の直線が平行に施され、直線は傾斜することなくアーム取付部からグリップ３３を結ぶ直線に対して平行に引かれている。
【００５０】
図７（Ｄ）は前述の固定側モアレスリット板１１ａと移動側モアレスリット板１２ａ、固定側モアレスリット板１１ｂと移動側モアレスリット板１２ｂをそれぞれ重ねて配置した図である。いずれもモアレ縞が２本略水平方向に生じている。固定側モアレスリット板１１ａ、１１ｂに施した直線の傾斜角は互いに等しいため、それぞれにモアレ縞が対称に現れている。
【００５１】
図７（Ｅ）は、移動側モアレスリット板１２ａ、１２ｂがそれぞれ右回転に同一角度回転した状態を示している。移動側モアレスリット板１２ａが右に回転すると、移動側モアレスリット板１２ａに施された直線の傾斜角と固定側モアレスリット板１２ａに施された直線との傾斜角との差が小さくなるので、モアレ縞の幅が広がり、現れるモアレ縞の本数が減少する。一方、移動側モアレスリット板１２ｂが右に回転すると、移動側モアレスリット板１２ｂに施された直線の傾斜角と固定側モアレスリット板１２ｂに施された直線との傾斜角との差が逆に大きくなるので、モアレ縞の幅が狭まり、現れるモアレ縞の本数が増加する。
【００５２】
このように、移動側モアレスリット板１２ａ、１２ｂに傾きが無い場合は、可視化デバイス４１ａ、４１ｂに現れるモアレ縞は対称の形状で生じるが、傾きが生じると、可視化デバイス４１ａ、４１ｂに現れるモアレ縞に変化が生じるので、ベース３２傾き具合を直感的に操作者や周辺の者が容易に認識することができる。そして、ベースの傾きが僅かであってもモアレ縞の変化は大きく現れるので、装置自体を見ても気付かない僅かな傾きでも容易に認識することができる。
【００５３】
また、弾性部材１３は、対象物３５に応じて適宜異なるものを使用すると良い。対象物３５が多少傾いて作業台３６に引っかかっても、強度のある対象物ではさほど問題は生じないが、強度の低い対象物３５ではすぐに壊れてしまうことがある。この場合には、柔軟な弾性部材１３を用いれば、対象物３５がわずかに引っかかった場合でも、すぐに弾性部材１３が変形して、モアレ縞が左右で異なる形状に表示される。このため、操作者或いは周辺の者が即時に認識でき、すぐに操作を修正することができるので、対象物の毀損を未然に防ぐことができる。
【００５４】
図８は、第４実施形態に係るロボットハンド４の作業状況を示している。図８（Ａ）は対象物３５をグリップ３３ａ、３３ｂで挟持し、孔３６に詰める前の状態であり、弾性部材１３ａ、１３ｂが変形しないので、２つの可視化デバイス４１ａ、４１ｂに現れるモアレ縞は対称の形状をしている。このため、ベース２２に傾きは生じていないことがわかる。
【００５５】
図８（Ｂ）は、対象物３５を孔に詰める状況であり、対象物３５の一端が作業台３７に引っかかっている。このため、弾性部材１３ａ、１３ｂがそれぞれ変形し、ベース３２に接続する移動側モアレスリット板１２ａ、１２ｂが回転するようにスライドするので、右側の可視化デバイス４１ａではモアレ縞の幅、間隔が狭まり、一方、左側の可視化デバイス４１ｂではモアレ縞の幅及び間隔が逆に広がるので、ベース３２が傾いていることが、操作者及び周辺の者が容易に認識することができる。
【００５６】
図９は、第４実施形態に係るロボットハンド４の固定側モアレスリット板１１、移動側モアレスリット板１２、及び弾性部材１３をそれぞれ１つずつから構成したロボットハンド５である。前述同様、ベース３２とアーム取付部３１は弾性部材１３を介して接続しており、固定側モアレスリット板１１がアーム取付部２１に固定され、移動側モアレスリット板１２がベース２２に固定され、それぞれのモアレスリット板１１、１２が重ねて配置されている。（なお、ここで、モアレスリット板１１、１２、弾性部材１３を可視化デバイス４１として説明する。）
【００５７】
図９（Ｃ）に示すように、固定側モアレスリット板１１は中央を境に、両側で傾斜角の異なる複数の直線が平行して施されている。一方の移動側モアレスリット板１２には垂直方向に複数の直線を平行に施している。
【００５８】
そして、（Ｂ）に示すように、対象物３５の一端が作業台３７に引っかかることで、弾性部材１３が変形し、ベース３２の傾きに追従して移動側モアレスリット板１２が回転するようにスライドする。このため、前述同様、可視化デバイス４１に右側のモアレ縞の幅、間隔が広がり、一方、左側のモアレ縞の幅及び間隔が逆に狭まるので、ベース３２が傾いていることを操作者及び周辺の者が容易に且つ迅速に認識することができる。モアレ縞は、作業対象付近にて確認できるので、操作者は作業対象箇所を見ながら、初期状態のように左右のモアレ縞が対象の形状になるように調節しながら操作を行うことができる。
【図面の簡単な説明】
【００５９】
【図１】本発明の第１実施形態のロボットハンドの概略図である。
【図２】本発明の第１実施形態のロボットハンドの作業状態を示す概略図である。
【図３】本発明の文字等をモアレ縞で表示するモアレスリット板を説明する図である。
【図４】本発明の第２実施形態のロボットハンドの概略図である。
【図５】本発明の第３実施形態のロボットハンドの概略図である
【図６】本発明の第３実施形態のロボットハンドの作業状態を示す概略図である。
【図７】本発明の第４実施形態のロボットハンドの概略図である。
【図８】本発明の第４実施形態のロボットハンドの作業状態を示す概略図である。
【図９】本発明の第５実施形態のロボットハンドの作業状態を示す概略図である。
【符号の説明】
【００６０】
１  ロボットハンド
２  ロボットハンド
３  ロボットハンド
４  ロボットハンド
５  ロボットハンド
１１  固定側モアレスリット板
１２  移動側モアレスリット板
１３  弾性部材
１４  固定グリップ
１５  移動グリップ
１６  ベース
１７  対象物
１８  駆動部
２１  ヒンジ
２２  リンク
２３  リンク
２４  フィンガー
３１  アーム取付部
３２  ベース
３３  グリップ
３４  アーム
３５  対象物
３６  孔
３７  作業台
４１  可視化デバイス
【図１】
0005057449.tif 000002
【図２】
0005057449.tif 000003
【図４】
0005057449.tif 000004
【図５】
0005057449.tif 000005
【図６】
0005057449.tif 000006
【図７】
0005057449.tif 000007
【図８】
0005057449.tif 000008
【図９】
0005057449.tif 000009
【図３】
0005057449.tif 000010